(57)【特許請求の範囲】
【請求項１】
映像信号を所定の信号処理単位でデイジタル信号処理して記録信号を生成し、上記信号処理単位分の記録信号を複数のブロツクに分割し、当該分割した各ブロツクの記録信号を複数の記録トラツクに割り当てながらそれぞれ異なるタイミングで順次記録することにより、磁気テープ上に順次斜めに形成した記録トラツクに上記映像信号をセグメント記録するビデオテープレコーダにおいて、
上記映像信号を記録する際に、上記信号処理単位で切り換わる第１の識別データを付して上記映像信号を上記記録トラツクに記録し、
長時間記録モード及び標準記録モードに応じてテープ走行速度及び上記信号処理単位を切り換え、
上記記録モードを識別する第２の識別データを、上記第１の識別データと共に付して上記映像信号を上記記録トラツクに記録する
ことを特徴とするビデオテープレコーダ。
【請求項２】
上記映像信号は、標準テレビジヨン方式又は高品位テレビジヨン方式の映像信号であつて、上記標準テレビジヨン方式及び上記高品位テレビジヨン方式の映像信号を識別する第３の識別データを、上記第１の識別データと共に付して上記映像信号を上記記録トラツクに記録する
ことを特徴とする請求項１に記載のビデオテープレコーダ。
【請求項３】
上記テープ走行速度は上記記録モード及び上記テレビジヨン方式に応じて切り換えられる
ことを特徴とする請求項２に記載のビデオテープレコーダ。
【発明の詳細な説明】
【０００１】
【目次】
以下の順序で本発明を説明する。
産業上の利用分野
従来の技術
発明が解決しようとする課題
課題を解決するための手段（図１）
作用（図１）
実施例
（１）記録系（図１〜図５）
（２）再生系（図１）
（３）つなぎ撮り録画（図１、図６〜図１０）
（４）実施例の効果
（５）他の実施例
発明の効果
【０００２】
【発明の属する技術分野】
本発明はビデオテープレコーダに関し、特にビデオ信号をデイジタル信号に変換して記録再生するビデオテープレコーダに適用して好適なものである。
【０００３】
【従来の技術】
従来、ビデオテープレコーダにおいては、ビデオ信号をデイジタル信号（以下デイジタルビデオ信号と呼ぶ）に変換して記録再生するようになされたものがある。
【０００４】
すなわちデイジタルビデオ信号においては、信号処理を繰り返しても画質劣化を未然に防止し得ることにより、誤り訂正処理等を組み合わせて使用して何度ダビングを繰り返しても再生画像の画質劣化を未然に防止することができる。
【０００５】
この反面、デイジタルビデオ信号を記録する場合、アナログ信号の形式でビデオ信号を記録する場合に比して情報量が多くなる。このためこの種のビデオテープレコーダにおいては、セグメント記録の手法を適用してデイジタルビデオ信号を記録する。
【０００６】
ここでセグメント記録は、１フイールド分のデイジタルビデオ信号を複数の記録トラツクに割り当てて記録する記録方式で、記録トラツク当たりの情報量の増加を未然に防止するために適用される。このセグメント記録のため、この種のビデオテープレコーダにおいては、複数の磁気ヘツドがほぼ同時に記録トラツクを走査するように回転ドラムを構成し、これにより１フールド分のデイジタルビデオ信号を回転ドラムが半回転又は１回転する周期で記録するようになされている。
【０００７】
このように回転ドラムが半回転又は１回転する周期で１フールド分のデイジタルビデオ信号を記録すれば、セグメント記録する場合でも、回転ドラムの回転に同期して動作モードを再生モードから記録モードに切り換えることにより、スムーズにつなぎ撮り録画することができる。
【０００８】
【発明が解決しようとする課題】
ところがこの方法の場合、回転ドラムに搭載する磁気ヘツドの数が増大し、その分回転ドラムの構成が煩雑になる欠点がある。
【０００９】
この問題を解決する１つの方法として回転ドラムの回転速度を増加し、これにより１フイールドの期間の間で、同一の磁気ヘツドを用いて繰り返し記録トラツクを形成する方法が考えられる。
【００１０】
ところがこの方法の場合、従来のように回転ドラムの回転に同期して動作モードを切り換えたのでは、セグメントの途中で動作モードが切り換わる場合もあり、この場合スムーズにつなぎ撮り録画することが困難になる。
【００１１】
さらにこのようにセグメント記録する場合において、標準テレビジヨン方式の映像信号と高品位テレビジヨン方式の映像信号とを記録し得るようにすると、セグメント記録する記録トラツクの数を標準テレビジヨン方式の映像信号と高品位テレビジヨン方式の映像信号とで切り換える必要がある。この場合も回転ドラムの回転に同期して動作モードを切り換えたのでは、標準テレビジヨン方式の映像信号と高品位テレビジヨン方式の映像信号との間で、ズムーズにつなぎ撮り録画することが困難になる。
【００１２】
本発明は以上の点を考慮してなされたもので、セグメント記録する場合において、スムーズにつなぎ撮り録画することができるビデオテープレコーダを提案しようとするものである。
【００１３】
【課題を解決するための手段】
かかる課題を解決するため第１の発明においては、映像信号ＳＶを所定の信号処理単位でデイジタル信号処理して記録信号ＳRECを生成することにより、磁気テープＴ上に順次斜めに形成した記録トラツクＴＡ、ＴＢ、……に映像信号ＳＶをセグメント記録するビデオテープレコーダ１において、映像信号ＳＶを記録する際に、信号処理単位で切り換わる第１の識別データＩＤを付して映像信号ＳＶを記録し、長時間記録モード及び標準記録モードに応じてテープ走行速度及び信号処理単位を切り換え、記録モードを識別する第２の識別データＩＤを、第１の識別データＩＤと共に付して映像信号ＳＶを記録トラツクＴＡ、ＴＢ、……に記録するようにした。
【００１４】
さらに第２の発明においては、映像信号ＳＶは標準テレビジヨン方式又は高品位テレビジヨン方式の映像信号であつて、標準テレビジヨン方式及び高品位テレビジヨン方式の映像信号を識別する第３の識別データＩＤを、第１の識別データＩＤと共に付して映像信号ＳＶを記録トラツクＴＡ、ＴＢ、……に記録するようにした。
【００１５】
さらに第３の発明においては、テープ走行速度は上記記録モード及び上記テレビジヨン方式に応じて切り換えられる。
【００１６】
【作用】
信号処理単位で切り換わる識別データＩＤに基づいて再生モードから記録モードに切り換わるようにすれば、確実に信号処理単位の切れ目で録画を開始し得、これによりスムーズにつなぎ撮り録画することができる。このとき記録モードを識別する第２の識別データＩＤを併せて基準にすれば、記録モードが異なる場合でもスムーズにつなぎ撮り録画することができる。
【００１７】
さらに、標準テレビジヨン方式の映像信号ＳＶ及び高品位テレビジヨン方式の映像信号ＳＶを識別する第３の識別データＩＤを併せて基準にすれば、標準テレビジヨン方式の映像信号ＳＶ及び高品位テレビジヨン方式の映像信号ＳＶをスムーズにつなぎ撮り録画することができる。
【００１８】
【実施例】
以下図面について、本発明の一実施例を詳述する。
【００１９】
（１）記録系
図１において、１は全体としてビデオテープレコーダを示し、セグメント記録の手法を適用してデイジタルビデオ信号を記録再生する。
【００２０】
このためビデオテープレコーダ１においては、記録信号生成回路２でビデオ信号ＳＶを記録信号ＳＲＥＣに変換した後、この記録信号ＳＲＥＣを増幅回路４、選択回路６を介して磁気ヘツド７Ａ〜７Ｄに出力する。このとき記録信号生成回路２は、ビデオ信号ＳＶの種類及び記録モードに応じて信号処理の単位（以下信号処理単位と呼ぶ）を切り換え、これにより必要に応じて効率良くデイジタルビデオ信号を記録し得るようになされている。
【００２１】
すなわち記録信号生成回路２は、標準記録モードで標準テレビジヨン方式のビデオ信号を記録する場合、信号処理単位をビデオ信号ＳＶのフイールド単位に設定する。これにより記録信号生成回路２は、標準テレビジヨン方式のビデオ信号ＳＶをデイジタル信号に変換した後、フイールド単位でデータ圧縮処理、シヤフリング処理する。
【００２２】
さらに記録信号生成回路２は、シヤフリング処理した１フイールド分のデイジタル信号を５つのブロツク（以下シンクブロツクと呼ぶ）に分割し、図２に示すように各シンクブロツクを各記録トラツクＴＡ、ＴＢ、……に割り当てて出力し（図２（Ａ）及び（Ｂ））、このとき各シンクブロツクに誤り訂正符号Ｐを付加して出力する（図２（Ｃ））。さらに記録信号生成回路２は、各シンクブロツクの先頭にシンクパターンを付加した後、続いて所定の識別データＩＤを付加して出力する。
【００２３】
ここでビデオテープレコーダ１においては、正及び負のアジマス角の２組の磁気ヘツド７Ａ〜７Ｄを  １８０度の角間隔で回転ドラムＤ上に配置し、標準テレビジヨン方式のビデオ信号を標準記録モードで記録する場合、このうちの  １８０度の角間隔で配置した１組の磁気ヘツド７Ａ、７Ｂを選択的に使用して記録トラツクを形成する。すなわちビデオテープレコーダ１においては、この１組の磁気ヘツド７Ａ、７Ｂがそれぞれ磁気テープＴを走査するタイミングで、この磁気ヘツド７Ａ、７Ｂに記録信号ＳＲＥＣを出力する。
【００２４】
これにより図３に示すように、ビデオテープレコーダ１においては、標準記録モードで標準テレビジヨン方式のビデオ信号を記録する場合、１フイールド分のビデオ信号をシンクブロツク毎に５トラツクに割り当ててセグメント記録する（この場合１フレーム分のビデオ信号を１０トラツクに割り当てることになる）（図３（Ａ）及び（Ｂ））。
【００２５】
これに対して標準テレビジヨン方式のビデオ信号を長時間記録モードで記録する場合、記録信号生成回路２は、信号処理単位をフレーム単位に切り換える。すなわちデータ圧縮処理においては、フイールド単位で処理する場合に比してフレーム単位で処理する場合の方が、全体として効率良くデータ圧縮することができる。
【００２６】
このため記録信号生成回路２においては、フレーム単位でデータ圧縮処理してシヤフリング処理し、続いてシンクブロツクを形成する。
【００２７】
このとき記録信号生成回路２は、１フレーム分のデイジタル信号を５つのシンクブロツクに分割してシンクパターン、識別データＩＤ、パリテイ符号Ｐを付加し、これに対してビデオテープレコーダ１は、標準テレビジヨン方式のビデオ信号を標準記録モードで記録する場合に比して磁気テープの走行速度を１／２に立ち下げる。
【００２８】
さらにビデオテープレコーダ１においては、２組の磁気ヘツド７Ａ〜７Ｄのうち  １８０度の角間隔で配置した１組の磁気ヘツド７Ａ、７Ｂを選択的に使用して記録トラツクを形成する。これにより図４に示すように、ビデオテープレコーダ１においては、標準テレビジヨン方式のビデオ信号を長時間記録モードで記録する場合、１フレーム分のビデオ信号をシンクブロツク毎に、５トラツクに割り当てて記録する。
【００２９】
これに対して高品位テレビジヨン方式のビデオ信号を標準記録モードで記録する場合、記録信号生成回路２においては、信号処理単位をビデオ信号ＳＶのフイールド単位に切り換え、１フイールド単位でデータ圧縮及びシヤフリングする。さらに記録信号生成回路２は、この１フイールド単位のデータを１０のシンクブロツクに分割し、シンクパターン、識別データＩＤ、パリテイ符号Ｐを付加する。
【００３０】
さらにビデオテープレコーダ１は、高品位テレビジヨン方式のビデオ信号を標準記録モードで記録する場合、標準テレビジヨン方式のビデオ信号を標準モードで記録する場合に比して、磁気テープの走行速度を２倍に立ち上げると共に、２組の磁気ヘツド７Ａ〜７Ｄに記録信号ＳＲＥＣを供給して記録トラツクを形成する。
【００３１】
これにより図５に示すように、ビデオテープレコーダ１においては、高品位テレビジヨン方式のビデオ信号を標準記録モードで記録する場合、１フレーム分のデイジタルビデオ信号をシンクブロツク単位で２０トラツクにセグメント記録する。
【００３２】
これに対して高品位テレビジヨン方式のビデオ信号を長時間記録モードで記録する場合、記録信号生成回路２においては、信号処理単位をフレーム単位に設定して記録信号ＳＲＥＣを生成するのに対し、ビデオテープレコーダ１においては、標準テレビジヨン方式のビデオ信号を標準記録モードで記録する場合と同様に磁気テープ走行系等を制御し、これにより１フレーム分のデイジタルビデオ信号を所定のシンクブロツク単位でセグメント記録する。
【００３３】
さらにこのようにしてシンクブロツク単位でデイジタルビデオ信号をセグメント記録する際、記録信号生成回路２においては、識別データＩＤとしてフレームＩＤ、トラツクＩＤ、ビデオＩＤを切り換えて記録し、これにより識別データＩＤを検出して必要に応じて再生信号処理回路１２の動作モードを切り換えると共に、スムーズにつなぎ撮り録画し得るようになされている。
【００３４】
ここでフレームＩＤは、所定値の範囲で順次循環的に値が変化し、この値が信号処理単位毎に更新されるのに対し、トラツクＩＤは、信号処理単位の中で順次シンクブロツク毎に値が更新され、ビデオＩＤは、デイジタルビデオ信号の種類及び記録モードを識別し得るようになされている。
【００３５】
（２）再生系
これに対して再生系において、ビデオテープレコーダ１は、選択回路６の接点を切り換えることにより、磁気ヘツド７Ａ〜７Ｄから出力される再生信号ＳＰＢを増幅回路８で増幅した後、前処理回路１０で周波数特性等を補正する。再生信号処理回路１２は、前処理回路１０で処理した再生信号ＳＰＢを入力し、ビデオＩＤを検出すると共に、このビデオＩＤに従つて再生信号を処理し、これによりデイジタルビデオ信号ＳＶを復調して出力する。
【００３６】
これによりビデオテープレコーダ１においては、種々のビデオ信号をデイジタル信号の形式で記録再生し得るようになされている。
【００３７】
（３）つなぎ撮り録画
このようにしてセグメント記録した磁気テープＴにつなぎ撮り録画する場合、単に回転ドラムの回転に同期して動作モードを再生モードから記録モードに切り換たのでは、図６に示すように標準テレビジヨン方式のビデオ信号を標準記録モードで記録した場合においては、１つの記録単位でなるＸ＋１フイールドの途中Ｐから記録モードに切り換わり場合があり、この場合Ｘ＋１フイールドの残り３トラツク分のデータがオーバーライトされる。このためＸ＋１フイールドにおいては、デイジタルビデオ信号を正しく再生し得なくなり、その分スムーズにつなぎ撮り録画し得なくなる。
【００３８】
これに対して図７に示すように高品位テレビジヨン方式のビデオ信号を標準記録モードで記録した場合においても、同様にＸ＋１フイールドの途中Ｐから記録モードに切り換る場合があり、この場合もＸ＋１フイールドの残りデータがオーバーライトされ、スムーズにつなぎ撮り録画し得なくなる。
【００３９】
このためこの実施例においては、ビデオＩＤ、フイールドＩＤ及びトラツクＩＤを基準にして動作モードを切り換えることにより、スムーズにつなぎ撮り録画し得るようにする。
【００４０】
すなわちビデオテープレコーダ１においては、つなぎ撮り録画において図８に示す処理手順を実行し、これによりスムーズにつなぎ撮り録画する。ここでビデオテープレコーダ１においては、ステツプＳＰ１からステツプＳＰ２に移り、ユーザが録画開始の操作子をオン操作すると、システム制御回路（図示せず）に録画開始のコマンドを取り込んだ後、ステツプＳＰ３に移る。
【００４１】
さらにシステム制御回路は、全体の動作を巻き戻しの動作モードに切り換えて数トラツク分磁気テープを巻き戻した後、続いてステツプＳＰ４に移り、全体の動作を再生モードに切り換える。これによりビデオテープレコーダ１においては、つなぎ撮り録画する際、磁気テープを巻き戻して磁気テープ走行系の位相サーボを立ち上げた後、録画モードに切り換わる。
【００４２】
このときビデオテープレコーダ１においては、続いてステツプＳＰ５に移り、前処理回路１０から出力される再生信号ＳＰＢをフイールドＩＤ検出回路２０、トラツクＩＤ検出回路２２及びビデオＩＤ検出回路２４に与え、ここでそれぞれフイールドＩＤ、トラツクＩＤ及びビデオＩＤを検出する。
【００４３】
ここで図９に示すように、標準テレビジヨン方式のビデオ信号を標準記録モードで記録した磁気テープにつなぎ撮り録画する場合、ビデオテープレコーダ１においては、回転ドラムＤの回転に同期して信号レベルが切り換わるスイツチングパルス信号ＳＷＰ（図９（Ａ））に同期して磁気ヘツド７Ａ、７Ｂから再生信号ＳＲＦ（図９（Ｂ））が得られ、各記録トラツクからそれぞれビデオＩＤ及びトラツクＩＤが検出される（図９（Ｃ）及び（Ｄ））。
【００４４】
ここで記号ＳＤは、標準テレビジヨン方式のビデオ信号を標準記録モードで記録したことを表し、連続する数字はトラツクＩＤを表す。
【００４５】
ビデオＩＤ検出回路２４は、このビデオＩＤを検出すると、検出結果をトラツクＩＤ検出回路２２に出力し、トラツクＩＤ検出回路２２は、この検出結果に基づいてトラツクＩＤを順次検出することにより、標準記録モードで記録した標準テレビジヨン方式のビデオ信号を再生する場合、５トラツク周期でビデオ信号の信号処理単位に同期して信号レベルが切り換わるフレームパルスＦＰ１（図９（Ｅ））を生成する。これに対してフイールドＩＤ検出回路２０は、フイールドＩＤを検出することにより、信号処理単位で信号レベルが切り換わるフレームパルスＦＰ２を生成する。
【００４６】
オア回路２５は、フイールドＩＤ検出回路２０及びトラツクＩＤ検出回路２２から出力される第１及び第２のフイールドパルスＦＰ１及びＦＰ２を受け、これにより信号処理単位の切れ目で信号レベルが立ち上がる切り換え信号を出力する。
【００４７】
フリツプフロツプ回路２６は、録画モード切り換え信号ＳＷが立ち上がつた後、この切り換え信号の信号レベルが立ち上がると、この切り換え信号の立ち上がりに同期して信号レベルが立ち上がる切り換え信号ＳＥＬ（図９（Ｆ））を出力し、これにより選択回路６の接点を再生側から記録側に切り換える。これによりビデオテープレコーダ１においては、ステツプＳＰ５で検出したフイールドＩＤ、トラツクＩＤ及びビデオＩＤに基づいて、ステツプＳＰ６でフイールドパルスを生成し、信号処理単位の切れ目で全体の動作を再生モードから記録モードに切り換る。これによりビデオテープレコーダ１は、順次入力されるビデオ信号ＳＶをデイジタル信号に変換して記録した後、ステツプＳＰ７に移つてこの処理手順を終了する。
【００４８】
かくしてセグメント記録する際、全体の動作モードを再生モードに切り換えてフイールドＩＤ、トラツクＩＤ及びビデオＩＤを検出し、この検出結果に基づいて信号処理単位の切れ目で記録モードに切り換わることにより、信号処理単位毎に確実に記録トラツクを形成し得、これにより標準記録モードで記録した標準テレビジヨン方式のビデオ信号をスムーズにつなぎ撮り録画することができる（図９（Ｇ））。
【００４９】
この記録モードの切り換えの際、ビデオテープレコーダ１においては、システム制御回路から出力される制御信号に基づいて、記録モードに応じて磁気テープの走行速度を切り換え、これにより標準記録モードで標準テレビジヨン方式のビデオ信号を記録した磁気テープに、所望の記録フオーマツトで所望のビデオ信号を記録する。
【００５０】
これに対して長時間記録モードで標準テレビジヨン方式のビデオ信号を記録した磁気テープについて、つなぎ撮り録画する場合、ビデオＩＤ検出回路２４で検出されたビデオＩＤに基づいて、トラツクＩＤ検出回路２２で同様に信号処理単位で切り換わるフイールドパルスＦＰ１が生成されると共に、フイールドＩＤ検出回路２０でフイールドパルスＦＰ２が検出され、これにより同様にスムーズにつなぎ撮り録画することができる。
【００５１】
これに対して高品位テレビジヨン方式のビデオ信号を標準記録モードで記録した磁気テープをつなぎ撮り録画する場合、図１０に示すように、スイツチイングパルス信号ＳＷＰ及び再生信号ＳＲＦ（図１０（Ａ）及び（Ｂ））に同期して高品位テレビジヨン方式及び標準記録モードを表すビデオＩＤ（図１０（Ｃ））が検出され、この場合１０トラツク周期で値が繰り返すトラツクＩＤ（図１０（Ｄ））が検出される。
【００５２】
これによりビデオテープレコーダ１においては、信号処理単位の切れ目に相当するトラツクＩＤの切れ目で切り換え信号ＳＥＬ（図１０（Ｅ））の信号レベルを立ち上げ、これにより高品位テレビジヨン方式のビデオ信号を標準記録モードで記録した磁気テープについても、スムーズにつなぎ撮り録画することができる。
【００５３】
さらに高品位テレビジヨン方式のビデオ信号を長時間記録モードで記録した磁気テープをつなぎ撮し録画する場合、ビデオテープレコーダ１においては、同様にビデオＩＤ、トラツクＩＤ、フレームＩＤに従つて信号処理単位の切れ目で動作モードを切り換え得、これによりスムーズにつなぎ撮り録画することができる。
【００５４】
この動作モードの切り換えの際、ビデオテープレコーダ１においては、フレームＩＤから生成したフレームパルスＦＰ２と、ビデオＩＤ及びトラツクＩＤから生成したフレームパルスＦＰ１をオア回路２５に与え、このオア回路２５の出力信号に基づいて動作モードを切り換えることにより、何れかの識別信号が検出し得ない場合でも、確実に動作モードを切り換えることができ、これにより信号処理単位の切れ目を確実に検出してスムーズにつなぎ撮り録画することができる。
【００５５】
（４）実施例の効果
以上の構成によれば、標準テレビジヨン方式及び高品位テレビジヨン方式のビデオ信号を異なる記録フオーマツトでセグメント記録する際に、記録トラツク毎に識別データを付加して記録し、再生時、磁気テープを巻き戻して再生モードに切り換えた後、この識別データに基づいて信号処理単位の切れ目を検出し、この切れ目で記録モードに切り換えることにより、信号処理単位の切れ目で確実に動作モードを切り換え得、これによりスムーズにつなぎ撮り録画することができる。
【００５６】
（５）他の実施例
なお上述の実施例においては、フイールドＩＤに加えてトラツクＩＤ及びビデオＩＤに基づいてフレームパルスを生成する場合について述べたが、本発明はこれに限らず、必要に応じて何れか一方のフレームパルスを使用して動作モードを切り換えるようにしてもよい。
【００５７】
さらに上述の実施例においては、標準テレビジヨン方式及び高品位テレビジヨン方式のビデオ信号を記録再生する場合について述べたが、本発明はこれに限らず、種々のビデオ信号を記録再生する場合に広く適用することができる。
【００５８】
さらに上述の実施例においては、長時間記録モード及び標準記録モードとで信号処理単位を切り換える場合について述べたが、本発明はこれに限らず、信号処理単位を切り換えることなく、記録トラツクの形成速度を切り換えて記録時間を切り換える場合等に広く適用することができる。
【００５９】
【発明の効果】
上述のように本発明によれば、信号処理単位を識別する第１の識別データと、記録モードを識別する第２の識別データＩＤと、映像信号方式を識別する第３の識別データとを映像信号に付加してセグメント記録し、記録開始時、磁気テープを巻き戻して再生モードに切り換えた後、これらの識別データに基づいて信号処理単位の切れ目で再生モードから記録モードに切り換えることにより、確実に信号処理単位の切れ目で動作モードを切り換え得るとともに、記録モードや映像信号方式が異なる場合でもスムーズにつなぎ撮り録画することができるビデオテープレコーダを得ることができる。
【図面の簡単な説明】
【図１】本発明の一実施例によるビデオテープレコーダを示すブロツク図である。
【図２】そのシンクブロツクを示す略線図である。
【図３】標準テレビジヨン方式のビデオ信号を標準記録モードで記録する場合の動作の説明に供する略線図である。
【図４】標準テレビジヨン方式のビデオ信号を長時間記録モードで記録する場合の動作の説明に供する略線図である。
【図５】高品位テレビジヨン方式のビデオ信号を標準記録モードで記録する場合の動作の説明に供する略線図である。
【図６】標準テレビジヨン方式のビデオ信号を標準記録モードで記録した場合のつなぎ撮り録画の説明に供する略線図である。
【図７】高品位テレビジヨン方式のビデオ信号を標準記録モードで記録した場合のつなぎ撮り録画の説明に供する略線図である。
【図８】つなぎ撮り録画の動作の説明に供するフローチヤートである。
【図９】標準テレビジヨン方式のビデオ信号を標準記録モードで記録した磁気テープにつなぎ撮り録画する場合の動作の説明に供する略線図である。
【図１０】高品位テレビジヨン方式のビデオ信号を標準記録モードで記録した磁気テープにつなぎ撮り録画する場合の動作の説明に供する略線図である。
【符号の説明】
１……ビデオテープレコーダ、２……記録信号生成回路、６……選択回路、１２……再生信号処理回路、２０……フイールドＩＤ検出回路、２２……トラツクＩＤ検出回路、２４……ビデオＩＤ検出回路。
【図１】
0003594186.tif 000002
【図２】
0003594186.tif 000003
【図３】
0003594186.tif 000004
【図４】
0003594186.tif 000005
【図５】
0003594186.tif 000006
【図６】
0003594186.tif 000007
【図７】
0003594186.tif 000008
【図８】
0003594186.tif 000009
【図９】
0003594186.tif 000010
【図１０】
0003594186.tif 000011